(57)【特許請求の範囲】
【請求項１】
同一平面上に相互に平行に配置され各行に選択的に走査パルスが入力される複数本の走査電極と、前記走査電極との間で維持放電を発生させる複数本の維持電極と、前記走査電極及び前記維持電極に直交するように配置され各表示セルのアドレス選択のためのデータパルスが入力される複数本のデータ電極と、を有し、１対の走査電極及び維持電極と１のデータ電極との間で１表示セルが構成されたプラズマディスプレイパネルの駆動方法であって、
１フィールドが階調表示のための複数のサブフィールドで構成され、各サブフィールドは、前記複数本の走査電極に時間とともに電圧が上昇する第１の走査パルスを印加して前記表示セルに放電を発生させて壁電荷を形成するプライミング期間と、前記複数本の走査電極に時間とともに電圧が下降する第２の走査パルスを印加して書き込み放電のために前記壁電荷を消去するプライミング消去期間と、前記走査電極に走査パルスを印加すると共に前記データ電極にデータパルスを印加して前記表示セルに書き込み放電を発生させる走査期間と、前記走査電極及び前記維持電極に各サブフィールド毎に異なる回数の維持パルスを印加する維持期間と、壁電荷を消去するための維持消去期間と、を有し、
前記表示セルに明るいパターンを所定時間表示させた直後に暗いパターンを表示させる場合に、この暗いパターンを表示させるサブフィールドにおける前記第１の走査パルスの時間的な変化の割合を、明るいパターンの表示が前記所定時間未満のときの変化の割合よりも小さくなるように調整することを特徴とするプラズマディスプレイパネルの駆動方法。
【請求項２】
同一平面上に相互に平行に配置され各行に選択的に走査パルスが入力される複数本の走査電極と、前記走査電極との間で維持放電を発生させる複数本の維持電極と、前記走査電極及び前記維持電極に直交するように配置され各表示セルのアドレス選択のためのデータパルスが入力される複数本のデータ電極と、を有し、１対の走査電極及び維持電極と１のデータ電極との間で１表示セルが構成されたプラズマディスプレイパネルの駆動方法であって、
１フィールドが階調表示のための複数のサブフィールドで構成され、各サブフィールドは、前記複数本の走査電極に時間とともに電圧が上昇する第１の走査パルスを印加して前記表示セルに放電を発生させて壁電荷を形成するプライミング期間と、前記複数本の走査電極に時間とともに電圧が下降する第２の走査パルスを印加して書き込み放電のために前記壁電荷を消去するプライミング消去期間と、前記走査電極に走査パルスを印加すると共に前記データ電極にデータパルスを印加して前記表示セルに書き込み放電を発生させる走査期間と、前記走査電極及び前記維持電極に各サブフィールド毎に異なる回数の維持パルスを印加する維持期間と、壁電荷を消去するための維持消去期間と、を有し、
前記表示セルに明るいパターンを所定時間表示させた直後に暗いパターンを表示させる場合に、この暗いパターンを表示させるサブフィールドにおける前記第１の走査パルスの最大電圧値を、明るいパターンの表示が前記所定時間未満のときの最大電圧値よりも小さくなるように調整することを特徴とするプラズマディスプレイパネルの駆動方法。
【請求項３】
前記プラズマディスプレイパネルは、更に、前記明るいパターンが所定時間継続したことを検出する焼き付き検出回路を有し、この焼き付き検出回路の検出結果に基づき、前記第１の走査パルスを調整することを特徴とする請求項１又は２に記載のプラズマディスプレイパネルの駆動方法。
【請求項４】
同一平面上に相互に平行に配置され各行に選択的に走査パルスが入力される複数本の走査電極と、前記走査電極との間で維持放電を発生させる複数本の維持電極と、前記走査電極及び前記維持電極に直交するように配置され各表示セルのアドレス選択のためのデータパルスが入力される複数本のデータ電極と、を有し、１対の走査電極及び維持電極と１のデータ電極との間で１表示セルが構成されたプラズマディスプレイパネルを備えたプラズマディスプレイ装置において、
前記プラズマディスプレイパネルを駆動する１フィールドが階調表示のための複数のサブフィールドで構成され、各サブフィールドは、前記複数本の走査電極に時間とともに電圧が上昇する第１の走査パルスを印加して前記表示セルに放電を発生させて壁電荷を形成するプライミング期間と、前記複数本の走査電極に時間とともに電圧が下降する第２の走査パルスを印加して書き込み放電のために前記壁電荷を消去するプライミング消去期間と、前記走査電極に走査パルスを印加すると共に前記データ電極にデータパルスを印加して前記表示セルに書き込み放電を発生させる走査期間と、前記走査電極及び前記維持電極に各サブフィールド毎に異なる回数の維持パルスを印加する維持期間と、壁電荷を消去するための維持消去期間と、を有し、
前記表示セルに明るいパターンを所定時間表示させた直後に暗いパターンを表示させる場合に、この暗いパターンを表示させるサブフィールドにおける前記第１の走査パルスの時間的な変化の割合を、明るいパターンの表示が前記所定時間未満のときの変化の割合よりも小さくなるように調整することを特徴とするプラズマディスプレイ装置。
【請求項５】
同一平面上に相互に平行に配置され各行に選択的に走査パルスが入力される複数本の走査電極と、前記走査電極との間で維持放電を発生させる複数本の維持電極と、前記走査電極及び前記維持電極に直交するように配置され各表示セルのアドレス選択のためのデータパルスが入力される複数本のデータ電極と、を有し、１対の走査電極及び維持電極と１のデータ電極との間で１表示セルが構成されたプラズマディスプレイパネルを備えたプラズマディスプレイ装置において、
前記プラズマディスプレイパネルを駆動する１フィールドが階調表示のための複数のサブフィールドで構成され、各サブフィールドは、前記複数本の走査電極に時間とともに電圧が上昇する第１の走査パルスを印加して前記表示セルに放電を発生させて壁電荷を形成するプライミング期間と、前記複数本の走査電極に時間とともに電圧が下降する第２の走査パルスを印加して書き込み放電のために前記壁電荷を消去するプライミング消去期間と、前記走査電極に走査パルスを印加すると共に前記データ電極にデータパルスを印加して前記表示セルに書き込み放電を発生させる走査期間と、前記走査電極及び前記維持電極に各サブフィールド毎に異なる回数の維持パルスを印加する維持期間と、壁電荷を消去するための維持消去期間と、を有し、
前記表示セルに明るいパターンを所定時間表示させた直後に暗いパターンを表示させる場合に、この暗いパターンを表示させるサブフィールドにおける前記第１の走査パルスの最大電圧値を、明るいパターンの表示が前記所定時間未満のときの最大電圧値よりも小さくなるように調整することを特徴とするプラズマディスプレイ装置。
【請求項６】
前記プラズマディスプレイパネルは、更に、前記明るいパターンが所定時間継続したことを検出する焼き付き検出回路を有し、この焼き付き検出回路の検出結果に基づき、前記第１の走査パルスを調整することを特徴とする請求項４又は５に記載のプラズマディスプレイ装置。
【発明の詳細な説明】
【０００１】
【発明の属する技術分野】
本発明はプラズマディスプレイパネルの駆動方法およびプラズマディスプレイ装置に関する。
【０００２】
【従来の技術】
従来のプラズマディスプレイ装置は、図６に示すように、映像を表示するために必要な入力信号６１を受けてプラズマディスプレイパネル（以下、ＰＤＰ、と称す）１に表示するための映像処理を行う画像処理回路６２と、ＰＤＰ１を駆動するためのシーケンスを制御する駆動信号制御回路６３と、ＰＤＰに配置された走査電極２、維持電極３およびデータ電極４にそれぞれの電圧パルスを印加するための走査電極駆動回路６４、維持電極駆動回路６５およびデータ電極駆動回路６６を有して構成される。
【０００３】
次に図６のプラズマディスプレイ装置におけるＰＤＰの駆動方法について説明する。
【０００４】
外部よりＰＤＰの表示に必要な入力信号６１が入力されると画像処理回路６２により映像信号をＰＤＰに表示するために画像処理とデータの並び替えを行い駆動信号制御回路６３に画像情報データが送られる。
【０００５】
次に駆動信号制御回路６３は入力信号６１に同期し、画像処理回路６２から送られる画像情報データに応じた画像データのシーケンス信号を生成し、走査電極駆動回路６４、維持電極駆動回路６５、データ電極駆動回路６６にそれぞれ転送する。
【０００６】
１つのサブフィールドは、走査期間の書込動作での放電を起こすためのプライミング期間、プライミング消去期間、各表示セルに表示情報をメモリさせるための走査期間およびメモリされたセルの放電を維持し入力された映像信号に応じてパルス数が変化する維持期間、維持消去期間から構成され、走査電極駆動回路６４は走査電極２に、図７に示すような波形の電圧を印加する。
【０００７】
プライミング期間では、その前での放電・非放電によらず、全てのセルに放電を発生させることによる壁電荷を形成させる。
【０００８】
その後、プライミング消去期間において、プライミング期間で形成された壁電荷を次の走査期間にて書込放電発生させるセルとさせないセルを電気的に選択できるレベルまで消去した状態にする。
【０００９】
【発明が解決しようとする課題】
しかしながら、従来の駆動においては、ある所定の時間継続的に特異的な固定パターン（画面）が表示された後に、そのパターンが焼き付く現象が発生する。例えば、図５に示すような、黒パターン（画面）５１の内に、すなわち黒パターン５１に囲まれて四角の白パターン（画面）５２の特異的な白枠固定パターン５２が継続的に表示されると、この四角の白枠固定パターン５２の箇所が焼き付いた状態となる。
【００１０】
この焼き付きのメカニズムは完全には解明されていないが、現象的には長時間特定の白枠固定パターン５２を表示した後、特に均一な表示画面、例えば全黒画面（ここで全黒画面とは、白枠固定パターン５２が位置していた箇所及びその周囲の黒パターン５１が位置していた箇所を全体的に黒にする画面のことである、以下同様）や全白画面（ここで全白画面とは、白枠固定パターン５２が位置していた箇所及びその周囲の黒パターン５１が位置していた箇所を全体的に白にする画面のことである、以下同様）を表示すると、前に白枠固定パターン５２が位置していた箇所とその周囲の黒パターン５１が位置していた箇所との間の境界が目視できる程度に現れてしまう。すなわち、均一な表示画面の内に白枠固定パターン５２の位置していた箇所が目立って現れてしまう。
【００１１】
例えば、黒い背景５１にて部分的に特異的な明るい白枠固定パターン５２を所定の時間表示した場合、その直後に全黒画面のような全体的に暗い画面を表示すると、点灯部である明るい白枠固定パターン５２が位置していた箇所が、薄明るい黒色となり目立ってしまい不都合である。
【００１２】
したがって本発明の目的は、長時間特定の固定パターンを表示した後に例えば均一な画面を表示した場合でも、固定パターンが位置していた箇所を目立たなくすることが可能なＰＤＰの駆動方法およびプラズマディスプレイ装置を提供することである。
【００１３】
本発明に係るプラズマディスプレイパネルの駆動方法は、同一平面上に相互に平行に配置され各行に選択的に走査パルスが入力される複数本の走査電極と、前記走査電極との間で維持放電を発生させる複数本の維持電極と、前記走査電極及び前記維持電極に直交するように配置され各表示セルのアドレス選択のためのデータパルスが入力される複数本のデータ電極と、を有し、１対の走査電極及び維持電極と１のデータ電極との間で１表示セルが構成されたプラズマディスプレイパネルの駆動方法であって、１フィールドが階調表示のための複数のサブフィールドで構成され、各サブフィールドは、前記複数本の走査電極に時間とともに電圧が上昇する第１の走査パルスを印加して前記表示セルに放電を発生させて壁電荷を形成するプライミング期間と、前記複数本の走査電極に時間とともに電圧が下降する第２の走査パルスを印加して書き込み放電のために前記壁電荷を消去するプライミング消去期間と、前記走査電極に走査パルスを印加すると共に前記データ電極にデータパルスを印加して前記表示セルに書き込み放電を発生させる走査期間と、前記走査電極及び前記維持電極に各サブフィールド毎に異なる回数の維持パルスを印加する維持期間と、壁電荷を消去するための維持消去期間と、を有し、前記表示セルに明るいパターンを所定時間表示させた直後に暗いパターンを表示させる場合に、この暗いパターンを表示させるサブフィールドにおける前記第１の走査パルスの時間的な変化の割合を、明るいパターンの表示が前記所定時間未満のときの変化の割合よりも小さくなるように調整することを特徴とする。
【００１６】
本発明に係る他のプラズマディスプレイパネルの駆動方法は、同一平面上に相互に平行に配置され各行に選択的に走査パルスが入力される複数本の走査電極と、前記走査電極との間で維持放電を発生させる複数本の維持電極と、前記走査電極及び前記維持電極に直交するように配置され各表示セルのアドレス選択のためのデータパルスが入力される複数本のデータ電極と、を有し、１対の走査電極及び維持電極と１のデータ電極との間で１表示セルが構成されたプラズマディスプレイパネルの駆動方法であって、１フィールドが階調表示のための複数のサブフィールドで構成され、各サブフィールドは、前記複数本の走査電極に時間とともに電圧が上昇する第１の走査パルスを印加して前記表示セルに放電を発生させて壁電荷を形成するプライミング期間と、前記複数本の走査電極に時間とともに電圧が下降する第２の走査パルスを印加して書き込み放電のために前記壁電荷を消去するプライミング消去期間と、前記走査電極に走査パルスを印加すると共に前記データ電極にデータパルスを印加して前記表示セルに書き込み放電を発生させる走査期間と、前記走査電極及び前記維持電極に各サブフィールド毎に異なる回数の維持パルスを印加する維持期間と、壁電荷を消去するための維持消去期間と、を有し、前記表示セルに明るいパターンを所定時間表示させた直後に暗いパターンを表示させる場合に、この暗いパターンを表示させるサブフィールドにおける前記第１の走査パルスの最大電圧値を、明るいパターンの表示が前記所定時間未満のときの最大電圧値よりも小さくなるように調整することを特徴とする。例えばプライミング期間における走査パルスのパルス幅を調整することによりその最大電圧値を調整することができる。
【００１７】
本発明において、例えば前記プラズマディスプレイパネルは、更に、前記明るいパターンが所定時間継続したことを検出する焼き付き検出回路を有し、この焼き付き検出回路の検出結果に基づき、前記第１の走査パルスを調整する。
【００１８】
本発明に係るプラズマディスプレイ装置は、同一平面上に相互に平行に配置され各行に選択的に走査パルスが入力される複数本の走査電極と、前記走査電極との間で維持放電を発生させる複数本の維持電極と、前記走査電極及び前記維持電極に直交するように配置され各表示セルのアドレス選択のためのデータパルスが入力される複数本のデータ電極と、を有し、１対の走査電極及び維持電極と１のデータ電極との間で１表示セルが構成されたプラズマディスプレイパネルを備えたプラズマディスプレイ装置において、前記プラズマディスプレイパネルを駆動する１フィールドが階調表示のための複数のサブフィールドで構成され、各サブフィールドは、前記複数本の走査電極に時間とともに電圧が上昇する第１の走査パルスを印加して前記表示セルに放電を発生させて壁電荷を形成するプライミング期間と、前記複数本の走査電極に時間とともに電圧が下降する第２の走査パルスを印加して書き込み放電のために前記壁電荷を消去するプライミング消去期間と、前記走査電極に走査パルスを印加すると共に前記データ電極にデータパルスを印加して前記表示セルに書き込み放電を発生させる走査期間と、前記走査電極及び前記維持電極に各サブフィールド毎に異なる回数の維持パルスを印加する維持期間と、壁電荷を消去するための維持消去期間と、を有し、前記表示セルに明るいパターンを所定時間表示させた直後に暗いパターンを表示させる場合に、この暗いパターンを表示させるサブフィールドにおける前記第１の走査パルスの時間的な変化の割合を、明るいパターンの表示が前記所定時間未満のときの変化の割合よりも小さくなるように調整することを特徴とする。
【００１９】
本発明に係る他のプラズマディスプレイ装置は、同一平面上に相互に平行に配置され各行に選択的に走査パルスが入力される複数本の走査電極と、前記走査電極との間で維持放電を発生させる複数本の維持電極と、前記走査電極及び前記維持電極に直交するように配置され各表示セルのアドレス選択のためのデータパルスが入力される複数本のデータ電極と、を有し、１対の走査電極及び維持電極と１のデータ電極との間で１表示セルが構成されたプラズマディスプレイパネルを備えたプラズマディスプレイ装置において、前記プラズマディスプレイパネルを駆動する１フィールドが階調表示のための複数のサブフィールドで構成され、各サブフィールドは、前記複数本の走査電極に時間とともに電圧が上昇する第１の走査パルスを印加して前記表示セルに放電を発生させて壁電荷を形成するプライミング期間と、前記複数本の走査電極に時間とともに電圧が下降する第２の走査パルスを印加して書き込み放電のために前記壁電荷を消去するプライミング消去期間と、前記走査電極に走査パルスを印加すると共に前記データ電極にデータパルスを印加して前記表示セルに書き込み放電を発生させる走査期間と、前記走査電極及び前記維持電極に各サブフィールド毎に異なる回数の維持パルスを印加する維持期間と、壁電荷を消去するための維持消去期間と、を有し、前記表示セルに明るいパターンを所定時間表示させた直後に暗いパターンを表示させる場合に、この暗いパターンを表示させるサブフィールドにおける前記第１の走査パルスの最大電圧値を、明るいパターンの表示が前記所定時間未満のときの最大電圧値よりも小さくなるように調整することを特徴とする。例えば前記プラズマディスプレイパネルは、更に、前記表示セルに表示させるパターンが所定時間明るくなったことを検出する焼き付き検出回路を有し、この焼き付き検出回路の検出結果に基づき、前記第１の走査パルスを調整する。
【００２０】
【発明の実施の形態】
以下、図面を参照して本発明を説明する。
【００２１】
図１は本発明の実施の形態を示すブロック図である。同図において、ＰＤＰ１には多数の走査電極２及びそれぞれの走査電極と対を成す維持電極３の多数が一方向（図で横方向）に延在し、多数のデータ電極４が直角方向（図で縦方向）に延在し、走査電極、維持電極の対とデータ電極との交点がそれぞれセル（画素）となっている。
【００２２】
このＰＤＰの駆動回路は、映像を表示するために必要な入力信号１１を受けてＰＤＰに表示するための映像処理を行う画像処理回路１２と、ＰＤＰを駆動するためのシーケンスを制御する駆動信号制御回路１３と、ＰＤＰに配置された走査電極２、維持電極３およびデータ電極４にそれぞれの電圧パルスを印加するための走査電極駆動回路１４、維持電極駆動回路１５およびデータ電極駆動回路１６を有して構成されている。
【００２３】
さらに本発明では、所定の時間継続的に特異的な固定パターンが表示されたことを検出する焼き付き検出回路１７と、プライミング波形を調整するプライミング波形調整回路１８とを具備している。さらに本発明の画像処理回路１２は、焼き付き検出回路１７からの情報も入力して画像処理をする機能を有している。
【００２４】
次に、実施の形態の駆動方法について説明する。外部よりＰＤＰの表示に必要な入力信号１１が入力されると画像処理回路１２により映像信号をＰＤＰに表示するために画像処理とデータの並び替えを行い駆動信号制御回路１３に画像情報データが送られる。
【００２５】
次に駆動信号制御回路１３は入力信号１１に同期し、画像処理回路１２から送られる画像情報データに応じた画像データのシーケンス信号を生成し、走査電極駆動回路１４、維持電極駆動回路１５、データ電極駆動回路１６にそれぞれ転送する。
【００２６】
走査電極駆動回路１４から走査電極２に、走査期間の書込動作での放電を起こすためのプライミング期間Ａ、プライミング消去期間Ｂ、各表示セルに表示情報をメモリさせるための走査期間Ｃ、メモリされたセルの放電を維持し入力された映像信号に応じてパルス数が変化する維持期間Ｄおよび維持消去期間Ｅのそれぞれの期間に、図３に示すような波形の電圧を印加する。
【００２７】
またこれらの期間に、維持電極駆動回路１５から維持電極３に、データ電極駆動回路１６からデータ電極４に、図３に示すような波形の電圧を印加する。
【００２８】
プライミング期間Ａでは、その前での放電・非放電によらず、全てのセルに放電を発生させることによる壁電荷を形成させる。
【００２９】
その後、プライミング消去期間Ｂにおいて、プライミング期間で形成された壁電荷を次の走査期間にて書込放電を発生させるセルとさせないセルを電気的に選択できるレベルまで消去した状態にする。
【００３０】
さらに図１において、図５に示すような暗い背景５１内に部分的に特異的な明るい固定パターン５２を所定の時間表示したことを焼き付き検出回路１７で検知した際には、その情報が駆動信号制御回路１３および画像処理回路１２に送られる。
【００３１】
その直後に入力されるパターンが例えば全黒画面の場合は、駆動信号制御回路１３からプライミング波形調整回路１８に全黒画面を表示する前のプライミング期間に走査電極のプライミング波形の調整を行うことを指示する。
【００３２】
図２に示すように第１の実施の形態では、プライミング波形調整回路１８により走査電極駆動回路１４から走査電極２に印加されるプライミング波形の電圧変化の傾きをｉからｋに変更する。すなわち、波形変化の傾きを緩やかにする。
【００３３】
このように、表示される画像毎にプライミング波形の傾きを変化させ、プライミング放電時の発光を低減できるため固定パターンが表示された後に全黒画面表示が行われる際に固定パターンの焼き付きを目立ちにくくするとともにコントラストを向上させる。
【００３４】
すなわち、プライミングの波形の傾斜は黒画面を表示するときの放電状態（明るさ）を決定するものであり、図２に示すようにプライミング波形の電圧変化の傾きをｉからｋに変更することにより、後からの全黒画面表示での明るさを暗くする。
【００３５】
例えば図５に示すような白枠固定パターン５２がある時間表示されたあとに、全黒画面が表示された場合、白枠固定パターン５２が表示されていた表示部がその周囲の箇所５１である非表示部と比較して明るくなる。
【００３６】
このとき、表示部と非表示部との明るさの差が相対的に変化するため、全黒画面での絶対的な明るさを暗くすることでその差を小さくし目立たなくするのが本発明の主旨である。
【００３７】
例えば、表示部と非表示部との相対的な明るさが１．２：１とする。全黒画面の絶対的な明るさが１００の場合は、表示部が１２０、非表示部が１００であるからその差が２０と大きくなり境界が目立ってしまう。これに対して本発明では、プライミング波形の電圧変化の傾きをｉからｋに緩やかな傾斜にしているから、全黒画面の絶対的な明るさが例えば８０に減少し、この場合は、表示部が９６、非表示部が８０であるからその差が１６と小さくなり、境界が目立たなくなってくる。
【００３８】
また、ＰＤＰの駆動は時分割で階調表示をしているため、１画面を表示するために、先に説明したようにプライミング期間、アドレス期間、維持期間等から構成される複数のサブフィールド（階調の重み付けのため）からなる。よって本発明では、それぞれの駆動期間が制限されるから通常は波形の傾斜をｉにし、必要なときだけ緩やかな傾斜ｋにするというように、表示画面に応じてダイナミックに駆動波形を変化させて時間を有効に使う（画面に応じてよりよい表示を行う）ものである。
【００３９】
他方、白枠固定パターンを所定の時間表示したことを焼き付き検出回路１７で検知して、その情報が画像処理回路１２に送られた直後に入力されるパターンが例えば全白画面の場合は、プライミング波形調整回路１８を用いず、画像処理回路１２により、焼き付き部（表示部）とそれ以外の非表示部のエリアに対して輝度、色度を合わせるために画像処理の補正を行い、駆動制御回路１３はこの情報信号を各駆動回路１４、１５、１６に送り、その結果、焼き付き部を目立ちにくくすることができる。
【００４０】
次に本発明の第２の実施の形態における走査電極の電圧波形を図４を参照して説明する。
【００４１】
この第２の実施の形態は、図１におけるプライミング波形調整回路１８を用いないで、画像処理回路１２および焼き付き検出回路１７からの入力信号に応じてプライミング波形の制御を行うものである。
【００４２】
例えば、図５のように黒パターン５１内に白枠固定パターン５２がある所定の時間継続して表示された後、全黒画面表示の信号が入力されたとする。
【００４３】
この場合、焼付き検出回路１７にてある所定の時間継続したことを検出し、駆動信号制御回路１３にフィードバックを行う。そして、駆動信号制御回路１３は走査電極駆動回路１４にプライミング波形のパルス幅を狭くするための信号を出力するとともに各駆動回路１５、１６への信号を出力する。
【００４４】
その結果、走査電極駆動回路１４から図４に示すようにプライミング波形ｉからｑへとプライミング波形のパルス幅が狭くなるような波形が出力され、プライミング波形の最高電圧値がＶｐからＶｐ’へと変化することにより黒画面の輝度が低下することにより、第１の実施の形態において傾斜を緩やかにした場合と同様に、焼き付き部を目立ちにくくすることができる。
【００４５】
【発明の効果】
以上説明したように本発明の効果は、特異的な表示がある所定の時間継続した後に、表示画面が変化する場合、前に表示されたパターンの焼き付き部を目立ちにくくすることにある。
【００４６】
その理由は、常に表示される画像信号をモニタし、映像信号によってプライミング波形の傾きを変化させたり、プライミング波形の電圧を低くしたり、映像の画像処理を行うためである。
【図面の簡単な説明】
【図１】本発明の実施の形態を示すブロック図である。
【図２】本発明の第１の実施の形態における走査電極の電圧位波形を示す図である。
【図３】本発明の実施の形態における走査電極、維持電極およびデータ電極の電圧波形を示す図である。
【図４】本発明の第２の実施の形態における走査電極の電圧波形を示す図である。
【図５】焼き付け現象を発生させるパターンを例示する平面図である。
【図６】従来技術を示すブロック図である。
【図７】従来技術における走査電極の電圧波形を示す図である。
【符号の説明】
１    ＰＤＰ
２    走査電極
３    維持電極
４    データ電極
１１    入力信号
１２    画像処理回路
１３    駆動信号制御回路
１４    走査電極駆動回路
１５    維持電極駆動回路
１６    データ電極駆動回路
１７    焼き付き検出回路
１８    プライミング波形調整回路
５１    黒パターン
５２    白枠固定パターン
６１    入力信号
６２    画像処理回路
６３    駆動信号制御回路
６４    走査電極駆動回路
６５    維持電極駆動回路
６６    データ電極駆動回路
Ａ    プライミング期間
Ｂ    プライミング消去期間
Ｃ    走査期間
Ｄ    維持期間
Ｅ    維持消去期間
【図１】
0004749601.tif 000002
【図２】
0004749601.tif 000003
【図３】
0004749601.tif 000004
【図４】
0004749601.tif 000005
【図５】
0004749601.tif 000006
【図６】
0004749601.tif 000007
【図７】
0004749601.tif 000008